(57)【要約】      （修正有）【課題】増毛部材がより自然に見えるようにすること。【解決手段】増毛部材の製造方法は、被施術者の頭部から生える地毛に取り付け、２つ折りにされ、張力を持たせた状態で張られた線状部材（釣り糸（てぐす））に、増毛用の１次毛髪を巻き回し、線状部材が挿通されているリング状であって、すぼめることが可能な取付部を形成する取付部形成工程と、１次毛髪の取付部近傍に、増毛用の複数の２次毛髪を結束固定する２次毛髪取付工程と、を含む。【選択図】図１９
2018090935.tif 000002
【特許請求の範囲】
【請求項１】
被施術者の頭部から生える地毛に取り付ける増毛部材の製造方法であって、
２つ折りにされ、張力を持たせた状態で張られた線状部材に、増毛用の１次毛髪を巻き回し、線状部材が挿通されているリング状であって、
すぼめることが可能な取付部を形成する取付部形成工程と、１次毛髪の取付部近傍に、増毛用の複数の２次毛髪を結束固定する２次毛髪取付工程と、を含むことを特徴とする増毛部材の製造方法。
【請求項２】
請求項１に記載の増毛部材の製造方法で製造した増毛部材を、被施術者の頭部から生える地毛に取り付ける増毛部材取付方法であって、
２つ折りにされた線状部材において、線状部材の折り返された部分と１次毛髪が巻き回された部分との間に、地毛を挿通させ、
地毛が挿通した状態で、線状部材を１次毛髪の取付部から引き抜くことで、取付部に地毛を挿通させ、
取付部に地毛が挿通された１次毛髪を、頭皮近傍まで移動させ、取付部をすぼめ、１次毛髪を地毛に結束固定することを特徴とする増毛部材取付方法。
【発明の詳細な説明】
【技術分野】
【０００１】
本発明は、増毛部材の製造方法および増毛部材取付方法に関する。
【背景技術】
【０００２】
薄毛で悩む人は世の中たくさんいるが、そんな中で、かつらに抵抗を感じている人も少なくない。各メーカーでは増毛という方法もあるが地毛が少ない人には限度がある。出願人は、そのような問題点を改善する増毛部材およびその製造方法を平成２６年に出願（特開２０１５−１４０７５号）した。今回は更に自然に増やすことが出来る増毛部材の製造方法および増毛部材取付方法を提案する。
【先行技術文献】
【特許文献】
【０００３】
【特許文献１】特開２０１５−１４０７５号公報
【発明の概要】
【発明が解決しようとする課題】
【０００４】
特開２０１５−１４０７５号公報に示されている増毛技術や、従来の増毛方法では、一次毛髪をストロー等の棒状部材に巻き付け取付部を形成し、２次毛髪を、１次毛髪の取付部近傍に結束固定させる。このため、取付部の内径は棒状部材の外径と同じ大きさであり、取付部に地毛を挿通させ、すぼめたとしても、２次毛髪は製造時の取付部近傍の位置のままである。このため、製造時における取付部の内径が大きい場合、いくら取付部を頭皮近傍まで寄せてすぼめたとしても、２次毛髪が頭皮から離れた状態のままであり、増毛部材が不自然に見えてしまう場合もあった。
本発明は、増毛部材がより自然に見えるようにすることを目的とする。
【課題を解決するための手段】
【０００５】
上記の課題を解決する第１の本発明は、
被施術者の頭部から生える地毛に取り付ける増毛部材の製造方法であって、
２つ折りにされ、張力を持たせた状態で張られた線状部材に、増毛用の１次毛髪を巻き回し、線状部材が挿通されているリング状であって、
すぼめることが可能な取付部を形成する取付部形成工程と、１次毛髪の取付部近傍に、増毛用の複数の２次毛髪を結束固定する２次毛髪取付工程と、を含むことを特徴とする増毛部材の製造方法である。
【０００６】
また、第２の本発明は、第１の本発明に記載の増毛部材の製造方法で製造した増毛部材を、被施術者の頭部から生える地毛に取り付ける増毛部材取付方法であって、
２つ折りにされた線状部材において、線状部材の折り返された部分と１次毛髪が巻き回された部分との間に、地毛を挿通させ、
地毛が挿通した状態で、線状部材を１次毛髪の取付部から引き抜くことで、取付部に地毛を挿通させ、
取付部に地毛が挿通された１次毛髪を、頭皮近傍まで移動させ、取付部をすぼめ、１次毛髪を地毛に結束固定することを特徴とする増毛部材取付方法である。
【発明の効果】
【０００７】
本発明によれば、１次毛髪を巻き回す部材を、線状部材にすることで、棒状部材に１次毛髪を巻き回した場合に比べ、地毛を挿通させる取付部の内径を小さくできる。このため、１次毛髪の取付部に地毛を挿通させ、頭皮近傍ですぼめることで、頭皮近傍に２次毛髪を配置できる。
【０００８】
したがって、増毛部材がより自然に見えるようになる。このため、１本の地毛に複数の増毛部材を着けることにより、地毛が少ない人にも対応可能になった。
例えば、１束の増毛部材の本数が６本以上４０本程度まで結び目の大きさを変えず自然に結着することが出来るので、途中で枝分かれさせて結着部分が大きくなってしまうようなことがない。
【図面の簡単な説明】
【０００９】
【図１】１次毛の作成過程１（毛を曲げる）
【図２】１次毛の作成過程２（棒状部材を通す）
【図３】１次毛の作成過程２（リングを作成し、固結びをする）
【図４】４０本の増毛部材の製造途中の図
【図５】２０本および４０本の増毛部材の完成図
【図６】１次毛の作成過程３
【図７】２次毛の作成過程
【図８】１次毛に２次毛を付ける工程を示す図
【図９】１次毛に２次毛を付けた図１（複数の付け方）
【図１０】１次毛に２次毛を付けた図２
【図１１】２次毛に３次毛を付けた図
【図１２】固結び（８の字結び）の図
【図１３】固結び（８の字結び）を用いない場合の図
【図１４】固結び（８の字結び）を用いた場合の図
【図１５】従来方法による増毛方法
【図１６】第２実施形態に係る方法に用いるてぐす
【図１７】第２実施形態の方法において、てぐすの先端に輪を作った状態
【図１８】第２実施形態の方法において、先端に輪を作ったてぐすに増毛部材を付けた状態
【図１９】第２実施形態の方法において、輪を絞った状態
【図２０】第２実施形態の方法において、てぐすを抜いた後の増毛部材（輪が小さく肉眼では視認できない）を示す図
【図２１】第２実施形態の方法を説明する図
【図２２】第２実施形態の方法における増毛部材の写真
【発明を実施するための形態】
【００１０】
［第１実施形態］
まず、図１〜図１５を参照して、第１実施形態について説明する。
以下に２０本〜４０本の増毛部材１の作り方を説明します。まず、図１にしめしましたように、化繊毛、耐熱毛を材料とし、最初に１本の１次毛２を２本に、２本の１次毛２を４本にして増毛部材１を作ります。耐久性を考えた場合、基本的には２本の毛で、４本の毛束を作る方法が実用性に優れていますが、これに限るものではありません。しかし、１本の毛を２本にした場合では、強度が十分でない可能性があり、また、太さが十分ではありません。３本の毛を用いて６本にした場合や、４本の毛を用いて８本にする場合は、耐久性は高くなりますが、根本の決着部が太くなり不自然になってしまいます。よって、４本に作った場合がより自然で耐久性にも優れているかと思います。
毛束を図２に示しますように、棒状部材４に付けます。棒状部材４には、細い棒、または、ストローが適しています。ここまでは、各メーカーでも作っていると思われます。ここからが、本発明の方法になりますが、まず、４本の毛束で説明をしていきます。図３に示しますように、まず、第１に４本の１次毛２の束の根本を一度固く結びます。
【００１１】
例として図４に、４０本の作り方を説明します。図に示しますように、棒に着けた４本の毛束の根本を固く結び、１次毛２とします。根本を固結びすることにより、地毛につけるリング部分２１の大きさが変わらなくなります。通常の作り方では、リング部分２１が大きくなってしまいます。
１次毛に棒状部材の役割をもたせ、図２にしめしました方法と同様の方法により、２次毛３を１次毛２につけていきます。３本の毛を用いて６本の２次毛３にし、これを、固結びをしつつ、数球状に６束をつけ、数球状につけた６束をサンドイッチ状に固結びをすることにより、３６本の毛束が固定でき、数球部分が髪を立ち上げる効果を出します。なお、２次毛の固結び部分は図示していません。
【００１２】
以上、この仕組みにより、４０本の増毛部材を作ることを可能としました。２０本の増毛部材を作る場合は、２本の毛を棒状部材に着け元となる４本の１次毛２を作り、４本の１次毛２の根本を固結びします。４本の２次毛３の束を４ケ所作り数球上に着けていきます。着けたらもう一度、固結びをして固定します。この状態を図５に示しました。
以上に、２０本、４０本の作り方を例にしましたが、２本、４本、６本の毛束を数珠状に結びつけることにより、結着部が目立たず、いろいろな本数の増毛部材を作る事を可能としました。
【００１３】
図６にも、１次毛の作り方を示しました。１つ目は１本の髪を２本に作る方法、２つ目は２本の髪を４本に作る方法、３つ目は３本の髪を６本に作る方法です。もっと増やすことも出来ますが根元の結着部が大きくなってしまい、不自然になってしまいます。２本に作った場合は根元の結着部は小さく自然になりますが、髪が切れやすくなり耐久性が低くなります。逆に６本に作った場合、耐久性は高くなりますが根元の結着部が大きくなり不自然になってしまいます。よって、４本に作った場合がより自然で耐久性に優れているかと思います。
【００１４】
１次毛につける２次毛の作り方も同様です。２本、４本、６本と作れます。それ以上は１次毛同様、結着部が大きくなり不自然になってしまいます。また、２次毛の場合４本又、６本に作るとやはり結着部が大きく目立ちやすくなることと、ブラシで解く際引っ掛かりやすくなる為、２次毛に関しては２本に作るのがよいと思います。図７に２次毛の作り方を示しました。図には１次毛に２次毛をつける方法を示しました。
【００１５】
１次毛は４本がよいと申しましたが、１次毛を２本や６本にして、２次毛をつけていくことは可能です。ここで４本の１次毛につける方法を説明します。この場合も３種類の方法があります。図９の１つ目は１次毛４本の髪を１本ずつに分けてつける方法、２つ目は４本の髪を２本ずつの束にしてつける方法、３つ目は４本の髪をそのまま４本の束にしてつける方法です。１本につけていく方法は負担が大きく切れやすい傾向があり、４本の束につけていく方法は仮に４０本の部材を作る場合に数珠部分が長くなってしまい不自然に見える可能性があります。そのため、４本の髪を２本ずつの束に分けてつけるのが、より自然で耐久性に優れています。
【００１６】
図１０に１次毛を２本ずつの束に分けた場合の４０本の作り方を示しました。１次毛が４本の束なので２次毛３６本をつけていきます。左右に２次毛９束をつけ、片側１８本、両側で３６本、計４０本の部材が出来ます。この方法で５０〜６０本の部材を自然に作ることが可能になります。
【００１７】
図１１にその他の作り方を示しました。仮に４０本の毛束を作る場合の、３次毛を作ってつける方法を示しています。この場合には、２次毛にこれまで同様３次毛をつけていきます。これは枝分かれしたところに足していく作り方の為、時間と手間がかかるので大変ですが可能です。
【００１８】
１次毛に２次毛を付けるためには、他の方法も適用可能です。以上の実施例では、２次毛をつけるにあたって数珠の上下にストッパーを作りその間にサンドイッチ状態にしておりました。一方、１次毛と２次毛を図１２にしめしましたような固結び（８の字結び）することができます。このようにしますと、図１３に示しますような上下のストッパーが必要でなくなり、２次毛を固結び（８の字結び）することにより、図１４に示しますように、上下のストッパーが必要でなくなります。
【００１９】
［第２実施形態］
次に、第２実施形態について、図１６〜図２２を参照して説明する。
第２実施形態に係る増毛部材１の製造方法は、被施術者の頭部から生える地毛８に取り付け、２つ折りにされ、張力を持たせた状態で張られた線状部材（釣り糸（てぐす））４０に、増毛用の１次毛髪２を巻き回し、線状部材４０が挿通されているリング状であって、すぼめることが可能な取付部を形成する取付部形成工程と、１次毛髪２の取付部近傍に、増毛用の複数の２次毛髪３を結束固定する２次毛髪取付工程と、を含む。
【００２０】
また、第２実施形態に係る第２実施形態に係る増毛部材１の製造方法で製造した増毛部材１を、被施術者の頭部から生える地毛８に取り付ける増毛部材取付方法は、２つ折りにされた線状部材４０において、線状部材４０の折り返された部分と１次毛髪２が巻き回された部分との間に、地毛８を挿通させ、地毛８が挿通した状態で、線状部材４０を１次毛髪２の取付部から引き抜くことで、取付部に地毛８を挿通させ、取付部に地毛８が挿通された１次毛髪２を、頭皮近傍まで移動させ、取付部をすぼめ、１次毛髪２を地毛８に結束固定する。
【００２１】
第２実施形態では、第１実施形態に比べ、尚一層、自然にする為に根元の結び目から枝分かれの位置を近づけた。第１実施形態では枝分れの位置が根元から略１．５ｃｍ（図５）であるが、第２実施形態では根元から略０．２〜０．５ｃｍ（図９）まで近づけることが可能となり、前回のものより略１．３〜１ｃｍ根元に近くなることで、より自然になる。
【００２２】
(増毛部材１の製造方法)
次に、増毛部材１の製造方法の詳細を説明する。
釣り糸（てぐす）４０を用意し、二つ折りにしたら先端に地毛５をくぐらせる様に輪４１を作る。これは仮に釣り糸４０から増毛部材１を抜いて施術する際、根元の結び目である連結部７の穴が小さく、地毛８を通すことが難しい為、糸通しの要領で地毛８を釣り糸４０の輪４１に入れ増毛部材１を横にスライドさせることで地毛８に着けることが出来る。また、釣り糸４０の両端を互いに結ぶことで、二つ折りにした釣り糸４０の両端部が互いに離れなくなるので、作業効率が向上する。
第２実施形態の増毛部材１の製造方法は、釣り糸（てぐす）４０に髪を付ける方法は、第１実施形態と同じで、棒状部材(ストロー)４の代わりに、釣り糸（てぐす）４０を用いる点が第１実施形態と異なる。なお、この実施例では、釣り糸（てぐす）４０を用いているが、細い線状部材であれば、金属（針金）、プラスティック、剛性のある糸を用いてもよい。
【００２３】
(第１実施形態と第２実施形態の比較)
第１実施形態と第２実施形態の製造方法でそれぞれ製造した増毛部材１を比較した場合、１番の改良点は枝分れ部６の位置が根元に０．５ｃｍ以上近くなったという点である。なお、１束６本以上の増毛部材を作るには結び目が大きくならないように、必ず枝分れさせる必要がある。
【００２４】
なお、第１実施形態と第２実施形態の各構成は、矛盾しない限り、任意に組み合わせることができる。
【符号の説明】
【００２５】
１  増毛部材
２  １次毛
２１  １次毛のリング部
２２  １次毛の固結び部
３  ２次毛
３１  ２次毛のリング部
３２  ２次毛の固結び部
４  棒状部材(ストロー)
４０  線状部材（釣り糸（てぐす））
４１  釣り糸の輪
５  ３次毛
６  枝分れ部
７  連結部
８  地毛
【図１】
2018090935.tif 000003
【図２】
2018090935.tif 000004
【図３】
2018090935.tif 000005
【図４】
2018090935.tif 000006
【図５】
2018090935.tif 000007
【図６】
2018090935.tif 000008
【図７】
2018090935.tif 000009
【図８】
2018090935.tif 000010
【図９】
2018090935.tif 000011
【図１０】
2018090935.tif 000012
【図１１】
2018090935.tif 000013
【図１２】
2018090935.tif 000014
【図１３】
2018090935.tif 000015
【図１４】
2018090935.tif 000016
【図１５】
2018090935.tif 000017
【図１６】
2018090935.tif 000018
【図１７】
2018090935.tif 000019
【図１８】
2018090935.tif 000020
【図１９】
2018090935.tif 000021
【図２０】
2018090935.tif 000022
【図２１】
2018090935.tif 000023
【図２２】
2018090935.tif 000024